(57)【特許請求の範囲】
【請求項１】
収納部の上部に天板を備えたキャビネットであって、天板の下方で収納部の前側に位置する補助収納部を備え、補助収納部の少なくともその一部が、天板の前端より前方に位置しているとともに、補助収納部の下部に下向きに開口する凹状の取手を備えていることを特徴とするキャビネット。
【請求項２】
請求項１記載のキャビネットであって、取手は補助収納部の略全幅にわたって形成されていることを特徴とするキャビネット。
【請求項３】
請求項１または２記載のキャビネットであって、補助収納部の上部を把持可能な上部取手を備えていることを特徴とするキャビネット。
【請求項４】
請求項１から３のいずれかに記載のキャビネットであって、補助収納部の上方に使用者が凭れかかることが可能なサポートバーを備えていることを特徴とするキャビネット。
【発明の詳細な説明】
【技術分野】
【０００１】
本発明は、キッチンのキャビネットに関し、キッチンの引き出し収納部の前板に前方に突出する補助収納部を設けたキャビネットに関する。
【背景技術】
【０００２】
従来、キッチンのシンク前方であって天板下に補助的な収納部を設ける構成は、知られている。例えば、流し台の前方に収納兼サポート用幕板が配設された構成が知られている（特許文献１参照）。
【０００３】
厨房装置のキャビネットの前面板に中空部を形成して収納部とし、上部を前方に突出したものが知られている（特許文献２参照）。洗面ユニットの収納部の扉に、斜面を有する小物収納部を一体的に設けたものが知られている（特許文献３参照）。さらに、洗面化粧台の幕前板を開閉自在な蓋体と、蓋体を支持する支持部とで構成したものとが知られている（特許文献４参照）。
【０００４】
【特許文献１】特開２００７−１６２号公報
【特許文献２】特開２００６−２７１７８３号公報
【特許文献３】実公昭６１−６８６０号公報
【特許文献４】実開平１−９９２８７号公報
【発明の開示】
【発明が解決しようとする課題】
【０００５】
上記従来例（特許文献１〜４）は、あくまでも、天板下に引き出し等の収納部を設ける構成であり、それ以上収納スペースをより拡大して利用することは難しい。そこで、収納部を天板下だけではなく、天板の前端より前方に位置する補助収納部を設けると、収納量を拡大し、使い勝手の良い収納が可能とする。
【０００６】
このような構成の補助収納部付き収納部では、補助収納部の前面に、前方に突出する取手や凹部から成る取手を設ける必要があるが、そのような取手を補助収納部の前面に設けると、キャビネットが見栄えが悪くなるという問題がある。
【０００７】
本発明は、このような収納部の前方に補助収納部を設ける構成において、簡単に補助収納部及び収納部を前方に引き出すことができ、しかも見栄えを損なわないような取手を実現することを課題とする。
【課題を解決するための手段】
【０００８】
本発明は上記課題を解決するために、収納部の上部に天板を備えたキャビネットであって、天板の下方で収納部の前側に位置する補助収納部を備え、補助収納部の少なくともその一部が、天板の前端より前方に位置しているとともに、補助収納部の下部に下向きに開口する凹状の取手を備えていることを特徴とするキャビネットを提供する。
【０００９】
前記キャビネットにおいて、取手は補助収納部の略全幅にわたって形成されていることが好ましい。
【００１０】
前記キャビネットにおいて、補助収納部の上部を把持可能な上部取手を備えていることが好ましい。
【００１１】
前記キャビネットにおいて、補助収納部の上方に使用者が凭れかかることが可能なサポートバーを備えていることが好ましい。
【発明の効果】
【００１２】
本発明に係るキャビネットによれば、次のような効果が生じる。
（１）天板の前端より前方に位置している補助収納部を備えているので、収納量を増やすことができる。しかも、この補助収納部の下部に凹部から成る取手を設けたので、見栄えを損なうことがなく、使用者がこの下部取手に手を掛けて前方（手前側）に少し引いただけで、簡単に補助収納部にアプローチでき、物品を出し入れすることができる
【００１３】
（２）補助収納部が少し開いた状態となると、上部取手に手を掛けることができるので、主なる収納部である引き出しを簡単に開くことができる。
【発明を実施するための最良の形態】
【００１４】
本発明に係るキャビネットを実施するための最良の形態を実施例に基づき図面を参照して、以下説明する。
【実施例】
【００１５】
本発明に係るキャビネットの実施例を図１〜４において説明する。本発明のキャビネット１は、図１（ａ）、（ｂ）に示すように、天板２にシンク部３を備え、シンク部３の下方に収納部４が設けられている。この収納部４は、後記する補助収納部に対して主収納部として機能するものである。
【００１６】
最上段の引き出し収納部５は、図２（ａ）、（ｂ）に拡大して示すように、前板部６、左右両側の側板７、７、底板８及び背板（図示せず。）とを備えている。そして、天板２の下方で収納部４の前側に位置する補助収納部９を備えている。この補助収納部９は、最上段の引き出し収納部５の前板部６の上部に、少なくともその一部が、天板２の前端より前方に位置してするように設けられている。
【００１７】
最上段の引き出し収納部５の前板部６の上側に、図１（ｂ）、図２（ａ）、（ｂ）に示すように、補助収納部９が形成されている。補助収納部９は、引き出し収納部５と連通し、一体の収納スペースを形成している。
【００１８】
この実施例では、図２（ａ）、（ｂ）に示すように、補助収納部９は、前面壁１０と、前面壁１０の下部に連成する傾斜壁１１と、傾斜壁１１の下部に連成する水平底壁１２と、左右両側部の側壁１３とを備えている。さらに、補助収納部９は、引き出し収納部５の前板部６に固定するために一体に形成された取付板１４を備えている。
【００１９】
取付板１４は、左右両側の側壁１３、１３を橋絡し、垂直に形成されている。取付板１４は、引き出し収納部５の前板部６の背面にネジ止めされて固定され、これにより、補助収納部９が引き出し収納部５の前板部６に取り付けられる。取付板１４のほぼ上端の高さに補助収納部９の底板１５が水平に形成されている。
【００２０】
図１（ｂ）、図２（ｂ）に示すように、補助収納部９の上方であって天板２の下方に、キャビネット１の左右両側の側板２３の前端から前方に張り出し、補助収納部９の上面開口を閉じるサポートバー１６が設けられている。
【００２１】
このサポートバー１６は、水平部１７と凭れ部１８とから成る。水平部１７の基端部１９がキャビネット１の両側の側板２３に固定され、サポートバー１６がキャビネット１に取り付けられている。サポートバー１６は、補助収納部９の上面開口を閉じるとともに、使用者が凭れることのできる凭れバーとしての二つの機能を有する。
【００２２】
ところで、補助収納部９には、補助収納部９を前方に引き出すための下部取手２０と、補助収納部９を前方に引き出されてから、さらに引き出し収納部５を引き出すための上部取手２１が形成されている。
【００２３】
下部取手２０は、水平底壁１５の底壁１２に、補助収納部９の横幅方向の略全幅（略全長にわたって）に延びるように下方に開口した凹状の溝２２として形成されている。この凹状の溝２２は、使用者が手先を差し込める程度の寸法に形成されている。
【００２４】
上部取手２１は、補助収納部９の垂直前面壁１０の上端からキャビネット１の奥行き方向に水平に延びるように折り返し部として形成され、使用者が手先を掛けることができるような構成となっている。
【００２５】
なお、本発明のキャビネットの収納部は、開閉扉により開閉する収納部でもよい。その場合は、開閉扉を構成する一対の開閉前板部のそれぞれに、補助収納部を設け、この補助収納部に上記実施例同様の下部取手及び上部取手を設けた構成とする。
【００２６】
（作用）
以上の構成から成る本発明のキャビネット１の作用を説明する。図１（ａ）、（ｂ）に示すように、補助収納部９及び引き出し収納部５が閉じた状態から補助収納部９を開く時は、使用者は、下部取手２０に、図３（ａ）、図４（ａ）に示すように、手先をかけて前方に引き出す。
【００２７】
すると、図４（ａ）に示すように、補助収納部９が開いた状態となる。このように補助収納部９が開かれると、使用者は補助収納部９に物品を収納したり、収納されていた物品を取り出すことができる。
【００２８】
本発明のキャビネット１によれば、天板２から前方に延び出た補助収納部９が設けられているので、天板２の下方だけではなく、サポートバー１６の下方であって、引き出し収納部の前方の空間も収納スペースとして使用することができるので、収納量が拡大でき、使い勝手の良い収納が可能となる。
【００２９】
そして、補助収納部９を少しでも開くと、使用者は、上部取手２１に手を掛けることができ使用者が、図３（ｂ）、図４（ｂ）に示すように、上部取手２１に手を掛けて前方に引き出すと、引き出し収納部５を開くことができ、引き出し収納部５に物品を収納したり取り出したりすることができる。
【００３０】
本発明のキャビネット１では、補助収納部９の底部に下部取手２０を設けたので、補助収納部９の前面に、前方に突出する取手や凹部から成る取手を設ける必要がなく、また、補助収納部９を開けば、上部取手２１に手が掛けられるので、簡単な構成で補助収納部９及び引き出し収納部５を開閉でき、しかも見栄えを損なわない。
【００３１】
以上、本発明に係るキャビネットを実施するための最良の形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００３２】
本発明に係るキャビネットは、上記のような構成であるから、キッチンのキャビネットだけでなく、洗面用のキャビネット、作業用のシンクキャビネット等、収納部を備えたキャビネットに適用可能である。
【図面の簡単な説明】
【００３３】
【図１】本発明に係るキャビネットの実施例の構成を説明する図であり、（ａ）はキャビネットの斜視図であり、（ｂ）は本発明の要部の断面図である。
【図２】本発明に係るキャビネットの実施例の構成を説明する図であり、（ａ）は本発明のキャビネットの要部の斜視図であり、（ｂ）は本発明の要部の断面図である。
【図３】本発明に係るキャビネットの実施例の作用を説明する図であり、（ａ）は補助収納部を斜め前方から見た斜視図であり、（ｂ）は補助収納部９を斜め上方から見た斜視図である。
【図４】（ａ）、（ｂ）は、本発明に係るキャビネットの実施例の作用を説明するための要部の断面図を示す。
【符号の説明】
【００３４】
１  キャビネット                   
２  天板                           
３  シンク部                       
４  収納部                         
５  引き出し収納部                 
６  前板部                         
７  側板                           
８  底板                           
９  補助収納部                     
１０  前面壁                       
１１  傾斜壁                       
１２  底壁                         
１３  側壁                         
１４  取付板                       
１５  補助収納部の底板             
１６  サポートバー                 
１７  水平部                       
１８  凭れ部                       
１９  サポートバーの基端部         
２０  下部取手                     
２１  上部取手                     
２２  下部取手を構成する溝         
２３  キャビネット側板
【図１】
0005088106.tif 000002
【図２】
0005088106.tif 000003
【図３】
0005088106.tif 000004
【図４】
0005088106.tif 000005